(57)【要約】【課題】弾性ピンを高圧端子の絶縁ケース内突入端部に弾性的に安定して接触させることができる内燃機関用点火コイルを提供する。【解決手段】２次コイル２、この２次コイルの内周に貫通した１次コイル１、及び上記１次コイルの内周を貫通する直線鉄心３′を含む閉磁路鉄心３を絶縁ケース４の内部に収容すると共に、上記絶縁ケースには一部が絶縁ケースの内部に突入する高圧端子６を収容した高圧筒５を設け、前記２次コイルのボビンには２次巻線の巻終り側を接続する弾性ピン７を取付け、この弾性ピンを上記高圧端子の絶縁ケース内突入端部６′に弾性的に接触させ、絶縁ケース内に注型して固化させた絶縁樹脂層８により絶縁ケース内に上記２次コイル、１次コイル、閉磁路鉄心、弾性ピン、高圧端子を固定した内燃機関用点火コイルにおいて、上記弾性ピンの、上記高圧端子の絶縁ケース内突入端部と接触する個所に凹凸１１を設ける。【選択図】    図１
2004207582.tif 000002
【特許請求の範囲】
【請求項１】
２次コイル、この２次コイルの内周に貫通した１次コイル、及び上記１次コイルの内周を貫通する直線鉄心を含む閉磁路鉄心を絶縁ケースの内部に収容すると共に、上記絶縁ケースには一部が絶縁ケースの内部に突入する高圧端子を収容した高圧筒を設け、前記２次コイルのボビンには２次巻線の巻終り側を接続する弾性ピンを取付け、この弾性ピンを上記高圧端子の絶縁ケース内突入端部に弾性的に接触させ、絶縁ケース内に注型して固化させた絶縁樹脂層により絶縁ケース内に上記２次コイル、１次コイル、閉磁路鉄心、弾性ピン、高圧端子を固定した内燃機関用点火コイルにおいて、上記弾性ピンと高圧端子の絶縁ケース内突入端部とを複数個所で接触させることを特徴とする内燃機関用点火コイル。
【請求項２】
請求項１に記載の内燃機関用点火コイルにおいて、弾性ピンの、少なくとも高圧端子の絶縁ケース内突入端部と接触する個所に凹凸を設けたことを特徴とする内燃機関用点火コイル。
【請求項３】
請求項１に記載の内燃機関用点火コイルにおいて、高圧端子の絶縁ケース内突入端部の、少なくとも弾性ピンと接触する個所に凹凸を設けたことを特徴とする内燃機関用点火コイル。
【請求項４】
請求項１に記載の内燃機関用点火コイルにおいて、弾性ピンの、少なくとも高圧端子の絶縁ケース内突入端部と接触する個所、及び高圧端子の絶縁ケース内突入端部の、少なくとも弾性ピンと接触する個所の双方に凹凸を設けたことを特徴とする内燃機関用点火コイル。
【発明の詳細な説明】
【０００１】
【発明の属する技術分野】
この発明は、自動車のエンジンなどの内燃機関の点火プラグに高電圧を供給して火花放電を生じさせるための内燃機関用点火コイルに関する。
【０００２】
【従来の技術】
モールド型の内燃機関用点火コイルは、通常は、図５に示すように、２次コイル２、この２次コイルの内周に貫通した１次コイル１、及び上記１次コイルの内周を貫通する直線鉄心３′を含む閉磁路鉄心３を絶縁ケース４の内部に収容すると共に、上記絶縁ケースには一部が絶縁ケースの内部に突入する高圧端子６を収容した高圧筒５を設け、前記２次コイルのボビンには２次巻線の巻終り側を接続する弾性ピン７を取付け、この弾性ピンを上記高圧端子の絶縁ケース内突入端部６′に弾性的に接触させ、絶縁ケース内に注型して固化させた絶縁樹脂層８により絶縁ケース内に上記２次コイル、１次コイル、閉磁路鉄心、弾性ピン、高圧端子を固定している。
【０００３】
【発明が解決しようとする課題】
従来の点火コイルでは、図６に示すように、２次コイル２に取付けられ、２次巻線の巻終り側を接続された弾性ピン７は、高圧端子の絶縁ケース内突入端部６′と弾性的に一点で点接触しているだけなので接触が不安定であり、製造ラインでの導通検査で不良と判断されることが多く、生産性を悪くする一因になっていた。
【０００４】
【課題を解決するための手段】
本発明は、上述した問題点を解消するために開発されたのであって、２次コイルのボビンに取付けられ、２次巻線の巻終り側を接続した弾性ピンと高圧端子の絶縁ケース内突入端部とを複数個所で接触させたことを特徴とする。この場合、弾性ピンの、少なくとも高圧端子の絶縁ケース内突入端部と接触する個所に凹凸を設けても、高圧端子の絶縁ケース内突入端部の、少なくとも弾性ピンと接触する個所に凹凸を設けても、更には、弾性ピンの、少なくとも高圧端子の絶縁ケース内突入端部と接触する個所、及び高圧端子の絶縁ケース内突入端部の、少なくとも弾性ピンと接触する個所の双方に凹凸を設けてもよい。
【０００５】
【発明の実施の形態】
図１は、この発明による弾性ピン７と高圧端子６の絶縁ケース内突入端部６′との接触状態を示す第１実施例であって、高圧端子の絶縁ケース内突入端部６′は従来通り上面が平らな円錐台形であるが、この絶縁ケース内突入端部６′に弾性的に接触する弾性ピン７の、少なくとも上記絶縁ケース内突入端部６′と接触する個所にはギザギザによって複数の凹凸１１・・・が設けてある。従って、この複数の凹凸１１・・・で弾性ピン７は高圧端子の平らな円形の絶縁ケース内突入端部６′と弾性的に安定して接触する。
【０００６】
図２は、この発明による弾性ピン７と高圧端子６の絶縁ケース内突入端部６′との接触状態を示す第２実施例であって、弾性ピン７の断面形状は従来通り円形であるが、高圧端子の絶縁ケース内突入端部６′の上面にはギザギザによって弾性ピンと平行な複数の凹凸１２・・・が設けてある。従って、弾性ピン７の断面形状は円形であっても、弾性ピン７は高圧端子の絶縁ケース内突入端部６′の複数の凹凸１２・・・と弾性的に安定して接触する。
【０００７】
図３は、この発明による弾性ピン７と高圧端子６の絶縁ケース内突入端部６′との接触状態を示す第３実施例であって、図２と図３の実施例の併用である。つまり、高圧端子の絶縁ケース内突入端部６′に弾性的に接触する弾性ピン７の、少なくとも上記絶縁ケース内突入端部６′と接触する個所にはギザギザによって複数の凹凸１１・・・が設けてある。又、高圧端子の絶縁ケース内突入端部６′の上面にはギザギザによって弾性ピンと平行な複数の凹凸１２・・・が設けてある。従って、弾性ピン７と高圧端子の絶縁ケース内突入端部６′とは複数宛の凹凸１１・・・と凹凸１２・・・同士で弾性的に安定して接触する。
【０００８】
弾性ピン７の凹凸１１・・・は、高圧端子の絶縁ケース内突入端部との接触部に短く設けることに限らず、弾性ピンの全長に設けてもよい。又、この凹凸１１・・・を弾性ピンの全長、全周に設けて弾性ピンの断面形状を星形にすれば（図４参照）、弾性ピンの凹凸１１・・・を高圧端子のケース内突入端部に接触させるための指向性を無くすることができ、弾性ピンを２次コイルのボビンに取付ける際の効率が高まる。
【０００９】
又、高圧端子の絶縁ケース内突入端部の凹凸１２・・・も、図面の如く全面に設けておけば、弾性ピンを正確に凹凸１２・・・に接触させる手数が省ける。
【００１０】
【発明の効果】
以上説明したように、この発明によれば、弾性ピンを高圧端子の絶縁ケース内突入端部に弾性的に安定して接触させることができる。
【図面の簡単な説明】
【図１】（ａ）はこの発明による弾性ピンと高圧端子の絶縁ケース内突入端部との接触部を示す第１実施例の斜視図、（ｂ）は同上のｂ−ｂ線での断面図。
【図２】（ａ）はこの発明による弾性ピンと高圧端子の絶縁ケース内突入端部との接触部を示す第２実施例の斜視図、（ｂ）は同上のｂ−ｂ線での断面図。
【図３】この発明による弾性ピンと高圧端子の絶縁ケース内突入端部との接触部を示す第３実施例の図２（ｂ）と同様な断面図。
【図４】弾性ピンの他の実施例の断面図。
【図５】モード型点火コイルの断面図。
【図６】従来の弾性ピンと高圧端子の絶縁ケース内突入端部との接触部を示す断面図。
【符号の説明】
１    １次コイル
２    ２次コイル
３    閉磁路鉄心
３′  直線鉄心
４    絶縁ケース
５    絶縁ケースの高圧筒
６    高圧端子
６′  高圧端子の絶縁ケース内突入端部
７    弾性ピン
８    絶縁樹脂層
１１  弾性ピンの凹凸
１２  高圧端子の絶縁ケース内突入端部の凹凸
【図１】
2004207582.tif 000003
【図２】
2004207582.tif 000004
【図３】
2004207582.tif 000005
【図４】
2004207582.tif 000006
【図５】
2004207582.tif 000007
【図６】
2004207582.tif 000008